【手続補正書】
【提出日】平成19年5月9日(2007.5.9)
【手続補正１】
【補正対象書類名】明細書
【補正対象項目名】特許請求の範囲
【補正方法】変更
【補正の内容】
【特許請求の範囲】
【請求項１】
領域指定情報で指定される第１の領域に第１のドットサイズのドット群を有し、前記領域指定情報で指定される第２の領域に前記第１のドットサイズより小さな第２のドットサイズのドット群を有する地紋画像に、前記領域指定情報とは異なる第１の付加情報及び前記第１の付加情報とは異なる第２の付加情報を付加する画像処理装置であって、
前記地紋画像における前記第２の領域内のドットを前記第２の付加情報に応じた方向に移動させると共に、前記地紋画像における前記第１の領域内のドットを前記第１の付加情報に応じた方向に移動させる移動手段を備えることを特徴とする画像処理装置。
【請求項２】
前記第１の付加情報は、複写禁止であることを示す情報であり、
前記第２の付加情報は、前記第１の付加情報とは異なり、原本であることを示す情報であることを特徴とする請求項１に記載の画像処理装置。
【請求項３】
領域指定情報で指定される第１の領域に第１のドットサイズのドット群を有し、前記領域指定情報で指定される第２の領域に前記第１のドットサイズより小さな第２のドットサイズのドット群を有する地紋画像に、前記領域指定情報とは異なる第１の付加情報及び前記第１の付加情報とは異なる第２の付加情報を付加する画像処理方法であって、
前記地紋画像における前記第２の領域内のドットを前記第２の付加情報に応じた方向に移動させると共に、前記地紋画像における前記第１の領域内のドットを前記第１の付加情報に応じた方向に移動させる移動工程を備えることを特徴とする画像処理方法。
【請求項４】
前記第１の付加情報は、複写禁止であることを示す情報であり、
前記第２の付加情報は、前記第１の付加情報とは異なり、原本であることを示す情報であることを特徴とする請求項３に記載の画像処理方法。
【請求項５】
コンピュータに請求項３又は４に記載の画像処理方法を実行させるためのコンピュータプログラム。
【請求項６】
請求項５に記載のコンピュータプログラムを格納したことを特徴とする、コンピュータ読み取り可能な記憶媒体。
【請求項７】
潜像領域と背景領域とで構成されている画像を処理する画像処理装置であって、
前記潜像領域を第１の画素数で表されるドットの集合により表現し、前記背景領域を前記第１の画素数とは異なる第２の画素数で表されるドットの集合により表現することで、新たな画像を生成する画像生成手段と、
前記画像生成手段により生成した画像の前記潜像領域及び／又は前記背景領域に付加情報を付加する付加手段とを備え、
前記付加手段は、前記潜像領域及び／又は前記背景領域に含まれるドット群の夫々の位置を、前記付加情報の対応するビット位置におけるビット値に応じて制御することを特徴とする画像処理装置。
【請求項８】
前記画像生成手段は、前記第１の画素数を前記第２の画素数よりも少なくし、更に、前記潜像領域を表現する夫々のドット間の間隔を、前記背景領域を表現する夫々のドット間の間隔よりも小さくすることを特徴とする請求項７に記載の画像処理装置。
【請求項９】
前記付加手段は、前記潜像領域に含まれるドット群の夫々の位置を、前記付加情報中の第１の付加情報の対応するビット位置におけるビット値に応じて制御し、前記背景領域に含まれるドット群の夫々の位置を、前記付加情報中の第２の付加情報の対応するビット位置におけるビット値に応じて制御することを特徴とする請求項７に記載の画像処理装置。
【請求項１０】
更に、前記画像生成手段により生成した画像と文章画像との合成画像を生成する合成画像生成手段を備えることを特徴とする請求項７乃至９の何れか１項に記載の画像処理装置。
【請求項１１】
前記第１の画素数は、２つ以上の異なる画素数を示すことを特徴とする請求項７に記載の画像処理装置。
【請求項１２】
前記第２の画素数は、２つ以上の異なる画素数を示すことを特徴とする請求項７に記載の画像処理装置。
【請求項１３】
潜像領域及び背景領域を指定する領域指定情報と、前記領域指定情報と異なる付加情報を入力する入力手段と、
前記領域指定情報で指定された背景領域内のドットが配置されるべき複数の位置と、前記領域指定情報で指定された潜像領域内のドットが配置されるべき複数の位置とを決定する決定手段と、
前記潜像領域内の決定された複数の位置に第１のドットサイズのドットを配置し、前記背景領域内の決定された複数の位置に前記第１のドットサイズより大きな第２のドットサイズのドットを配置することで地紋画像を生成する生成手段とを有し、
前記決定手段は、前記潜像領域内の複数の位置及び前記背景領域内の複数の位置のうち少なくとも何れか一方の複数の位置を前記付加情報に応じて決定し、
前記生成手段で生成された地紋画像内に配置されたドットの位置と予め決められた位置とが離れている方向を決定することにより、前記領域指定情報と異なる前記付加情報は抽出されることを特徴とする画像処理装置。
【請求項１４】
潜像領域と背景領域とで構成されている画像を処理する画像処理方法であって、
前記潜像領域を第１の画素数で表されるドットの集合により表現し、前記背景領域を前記第１の画素数とは異なる第２の画素数で表されるドットの集合により表現することで、新たな画像を生成する画像生成工程と、
前記画像生成工程で生成した画像の前記潜像領域及び／又は前記背景領域に付加情報を付加する付加工程とを備え、
前記付加工程では、前記潜像領域及び／又は前記背景領域に含まれるドット群の夫々の位置を、前記付加情報の対応するビット位置におけるビット値に応じて制御することを特徴とする画像処理方法。
【請求項１５】
潜像領域及び背景領域を指定する領域指定情報と、前記領域指定情報と異なる付加情報を入力する入力工程と、
前記領域指定情報で指定された背景領域内のドットが配置されるべき複数の位置と、前記領域指定情報で指定された潜像領域内のドットが配置されるべき複数の位置とを決定する決定工程と、
前記潜像領域内の決定された複数の位置に第１のドットサイズのドットを配置し、前記背景領域内の決定された複数の位置に前記第１のドットサイズより大きな第２のドットサイズのドットを配置することで地紋画像を生成する生成工程とを有し、
前記決定工程では、前記潜像領域内の複数の位置及び前記背景領域内の複数の位置のうち少なくとも何れか一方の複数の位置を前記付加情報に応じて決定し、
前記生成工程で生成された地紋画像内に配置されたドットの位置と予め決められた位置とが離れている方向を決定することにより、前記領域指定情報と異なる前記付加情報は抽出されることを特徴とする画像処理方法。
【請求項１６】
コンピュータを請求項７乃至１３の何れか１項に記載の画像処理装置として機能させることを特徴とするコンピュータプログラム。
【請求項１７】
請求項１６に記載のコンピュータプログラムを格納したことを特徴とするコンピュータ読み取り可能な記憶媒体。
【手続補正２】
【補正対象書類名】明細書
【補正対象項目名】０００９
【補正方法】変更
【補正の内容】
【０００９】
すなわち、領域指定情報で指定される第１の領域に第１のドットサイズのドット群を有し、前記領域指定情報で指定される第２の領域に前記第１のドットサイズより小さな第２のドットサイズのドット群を有する地紋画像に、前記領域指定情報とは異なる第１の付加情報及び前記第１の付加情報とは異なる第２の付加情報を付加する画像処理装置であって、
前記地紋画像における前記第２の領域内のドットを前記第２の付加情報に応じた方向に移動させると共に、前記地紋画像における前記第１の領域内のドットを前記第１の付加情報に応じた方向に移動させる移動手段を備えることを特徴とする。
また、本発明の目的を達成するために、例えば、本発明の画像処理方法は以下の構成を備える。
即ち、領域指定情報で指定される第１の領域に第１のドットサイズのドット群を有し、前記領域指定情報で指定される第２の領域に前記第１のドットサイズより小さな第２のドットサイズのドット群を有する地紋画像に、前記領域指定情報とは異なる第１の付加情報及び前記第１の付加情報とは異なる第２の付加情報を付加する画像処理方法であって、
前記地紋画像における前記第２の領域内のドットを前記第２の付加情報に応じた方向に移動させると共に、前記地紋画像における前記第１の領域内のドットを前記第１の付加情報に応じた方向に移動させる移動工程を備えることを特徴とする。
また、本発明の目的を達成するために、例えば、本発明の画像処理装置は以下の構成を備える。
即ち、潜像領域と背景領域とで構成されている画像を処理する画像処理装置であって、
前記潜像領域を第１の画素数で表されるドットの集合により表現し、前記背景領域を前記第１の画素数とは異なる第２の画素数で表されるドットの集合により表現することで、新たな画像を生成する画像生成手段と、
前記画像生成手段により生成した画像の前記潜像領域及び／又は前記背景領域に付加情報を付加する付加手段とを備え、
前記付加手段は、前記潜像領域及び／又は前記背景領域に含まれるドット群の夫々の位置を、前記付加情報の対応するビット位置におけるビット値に応じて制御することを特徴とする。
また、本発明の目的を達成するために、例えば、本発明の画像処理装置は以下の構成を備える。
即ち、潜像領域及び背景領域を指定する領域指定情報と、前記領域指定情報と異なる付加情報を入力する入力手段と、
前記領域指定情報で指定された背景領域内のドットが配置されるべき複数の位置と、前記領域指定情報で指定された潜像領域内のドットが配置されるべき複数の位置とを決定する決定手段と、
前記潜像領域内の決定された複数の位置に第１のドットサイズのドットを配置し、前記背景領域内の決定された複数の位置に前記第１のドットサイズより大きな第２のドットサイズのドットを配置することで地紋画像を生成する生成手段とを有し、
前記決定手段は、前記潜像領域内の複数の位置及び前記背景領域内の複数の位置のうち少なくとも何れか一方の複数の位置を前記付加情報に応じて決定し、
前記生成手段で生成された地紋画像内に配置されたドットの位置と予め決められた位置とが離れている方向を決定することにより、前記領域指定情報と異なる前記付加情報は抽出されることを特徴とする。
また、本発明の目的を達成するために、例えば、本発明の画像処理方法は以下の構成を備える。
即ち、潜像領域と背景領域とで構成されている画像を処理する画像処理方法であって、
前記潜像領域を第１の画素数で表されるドットの集合により表現し、前記背景領域を前記第１の画素数とは異なる第２の画素数で表されるドットの集合により表現することで、新たな画像を生成する画像生成工程と、
前記画像生成工程で生成した画像の前記潜像領域及び／又は前記背景領域に付加情報を付加する付加工程とを備え、
前記付加工程では、前記潜像領域及び／又は前記背景領域に含まれるドット群の夫々の位置を、前記付加情報の対応するビット位置におけるビット値に応じて制御することを特徴とする。
また、本発明の目的を達成するために、例えば、本発明の画像処理方法は以下の構成を備える。
即ち、潜像領域及び背景領域を指定する領域指定情報と、前記領域指定情報と異なる付加情報を入力する入力工程と、
前記領域指定情報で指定された背景領域内のドットが配置されるべき複数の位置と、前記領域指定情報で指定された潜像領域内のドットが配置されるべき複数の位置とを決定する決定工程と、
前記潜像領域内の決定された複数の位置に第１のドットサイズのドットを配置し、前記背景領域内の決定された複数の位置に前記第１のドットサイズより大きな第２のドットサイズのドットを配置することで地紋画像を生成する生成工程とを有し、
前記決定工程では、前記潜像領域内の複数の位置及び前記背景領域内の複数の位置のうち少なくとも何れか一方の複数の位置を前記付加情報に応じて決定し、
前記生成工程で生成された地紋画像内に配置されたドットの位置と予め決められた位置とが離れている方向を決定することにより、前記領域指定情報と異なる前記付加情報は抽出されることを特徴とする。